【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
弁小葉を修復するためのシステムであって、
第１の弁小葉の近くにカテーテルを位置決めするための手段；
該カテーテルに減圧を付与して、該第１の弁小葉を握るための手段；
第１の組織留め具を該第１の弁小葉内に展開するための手段；
該減圧を解除して該第１の弁小葉を解放するための手段；
第２の弁小葉の近くに該カテーテルを位置決めするための手段；
該カテーテルに減圧を付与して、該第２の弁小葉を握るための手段；
第２の組織留め具を該第２の弁小葉内に展開するための手段；
該減圧を解除して該第２の弁小葉を解放するための手段；
を備える、システム。
【請求項２】
前記第１の組織留め具が、第１の縫合糸部分を備え、前記第２の組織留め具が、第２の縫合糸部分を備え、そして該第１の縫合糸部分と第２の縫合糸部分とが、共通の縫合糸ラインの部分を構成し、そして前記システムが、該共通の縫合糸ラインを結ぶための手段によって、前記第１の弁小葉と前記第２の弁小葉とを接合するための手段をさらに備える、請求項１に記載のシステム。
【請求項３】
前記第１の弁小葉と前記第２の弁小葉とを接合するための手段が、前記共通の縫合糸ラインに結び目を形成するための手段を備える、請求項２に記載のシステム。
【請求項４】
前記カテーテルが、第１のニードルをさらに備え、そして前記第１の組織留め具を展開するための手段が、以下：
前記第１の弁小葉を通して該第１のニードルを進め、そして前記第１の縫合糸部分と接触させるための手段；
該第１のニードルを該第１の縫合糸部分に接続するための手段；および
該第１のニードルを引き抜き、これによって、該第１の縫合糸部分を、該第１の弁小葉を通して引くための手段、
を備える、請求項２に記載のシステム。
【請求項５】
前記カテーテルが、第２のニードルをさらに備え、そして前記第２の組織留め具を展開するための手段が、以下：
前記第２の弁小葉を通して該第２のニードルを進め、そして前記第２の縫合糸部分と接触させるための手段；
該第２のニードルを該第２の縫合糸部分に接続するための手段；および
該第２のニードルを引き抜き、これによって、該第２の縫合糸部分を、該第２の弁小葉を通して引くための手段、
を備える、請求項４に記載のシステム。
【請求項６】
インビボで患者の心臓内の組織を修復するためのデバイスであって、該デバイスは、遠位端を備えるカテーテルを備え、該遠位端は、第１の面を有し、該カテーテルの第１の面は、組織を解放可能に握るように構成されており；
該カテーテルは、第１の組織部分を握り、第１の組織留め具を該第１の組織部分内に展開するように構成されており；
該カテーテルは、さらに、該第１の組織部分を脱係合するように構成されており；
該カテーテルの遠位端は、該カテーテルの端部の第１の面が第２の組織部分に隣接するまで回転するように構成されており；
該カテーテルは、第２の組織部分を握るように構成されており、該第２の組織部分を握ることは、該第１の組織部分の脱係合の後に行われ；
該カテーテルは、第２の組織留め具を該第２の組織部分内に展開するように構成されており；
該カテーテルは、該第２の組織部分から脱係合するように構成されており、そして
該第１の組織部分および該第２の組織部分は、該第１の組織留め具と第２の組織留め具とを一緒に引くことにより接合される、
デバイス。
【請求項７】
前記第１の組織留め具が、第１の縫合糸を備え、そして前記第２の組織留め具が、第２の縫合糸を備え、そして前記第１の組織部分と第２の組織部分とを接合することが、該第１の縫合糸と該第２の縫合糸とを連結することを包含する、請求項６に記載のデバイス。
【請求項８】
前記第１の縫合糸と第２の縫合糸とを連結することが、該第１の縫合糸および該第２の縫合糸において結び目を結ぶことを包含する、請求項７に記載のデバイス。
【請求項９】
前記第１の組織留め具および第２の組織留め具が、共通の組織留めデバイスの要素である、請求項６に記載のデバイス。
【請求項１０】
前記第１の組織留め具が、第１の縫合糸を備え、前記第２の組織留め具が、第２の縫合糸を備え、そして該第１の縫合糸および該第２の縫合糸が、共通の縫合糸ラインの部分であり、そして前記第１の組織部分と前記第２の組織部分とを接合することが、該第１の縫合糸と第２の縫合糸とを一緒に引くことを包含する、請求項９に記載のデバイス。
【請求項１１】
前記カテーテルの第１の面が、減圧ポートを内部に有する組織受容開口部を備え、該組織受容開口部は、第１の面および第２の面を有し、前記第１の縫合糸部分および第２の縫合糸部分は、該組織受容開口部の第１の面に位置し、そして該カテーテルは、第１のニードルおよび第２のニードルをさらに備え、該第１のニードルおよび第２のニードルは、該組織受容開口部の第２の面に位置し、該第１のニードルおよび第２のニードルは、該組織受容開口部の第２の面から、該組織受容開口部の第１の面へと、互いに独立して進められるように構成されており、
前記第１の組織留め具を、前記第１の組織部分内に展開することにおいて：
該第１のニードルが、該組織受容開口部を横切って、該第２の面から該第１の面へと、前記第１の組織部分を通って、該第１の縫合糸部分の近くへと前進するように構成されており、
該第１のニードルが、該第１の縫合糸部分に接続されるように構成されており；そして
該第１のニードルが、該組織受容開口部の第１の面から、該組織受容開口部の第２の面へと引き抜かれ、これによって、該第１の縫合糸部分を、該第１の組織部分に通して引くように構成されている、
請求項７に記載のデバイス。
【請求項１２】
前記第２の組織留め具を、前記第２の組織部分内に展開することにおいて：
前記第２のニードルが、前記組織受容開口部を横切って、前記第２の面から前記第１の面へと、該第２の組織部分を通って、前記第２の縫合糸部分の近くへと前進するように構成されており、
該第２のニードルが、該第２の縫合糸部分に接続されるように構成されており；そして
該第２のニードルが、該組織受容開口部の第１の面から、該組織受容開口部の第２の面へと引き抜かれ、これによって、該第２の縫合糸部分を、該第２の組織部分に通して引くように構成されている、
請求項１１に記載のデバイス。
【請求項１３】
患者の身体内の組織を固定するための装置であって：
近位端および遠位端を有する細長い本体であって、該本体内に形成された吸引管腔を有する、細長い本体；
該細長い本体の遠位部分の第１の面に形成された吸引凹部であって、該吸引管腔と流体連絡している、吸引凹部；
該細長い本体に形成された第１のニードル管腔であって、該第１のニードル管腔内に位置決めされた第１のニードルを有する、第１のニードル管腔；
該細長い本体において、該吸引凹部の近くに位置決めされた第１のニードルポートであって、該第１のニードル管腔と連絡している、第１のニードルポート；
該細長い本体の内部に形成された、第１の縫合糸管腔；
該第１の縫合糸管腔と連絡し、そして該吸引凹部の近くに位置決めされた、第１の受容ポートであって、該第１のニードルポートと整列しており、かつ該第１のニードルポートと対向している、第１の受容ポート；ならびに
該第１のニードルに取り付けられた第１のアクチュエータ、
を備える、装置。
【請求項１４】
前記装置が、以下：
前記細長い本体に形成された第２のニードル管腔であって、該第２のニードル管腔の内部に位置決めされたニードルを有する、第２のニードル管腔；
該細長い本体において、前記吸引凹部の近くに位置決めされた第２のニードルポートであって、該第２のニードル管腔と連絡している、第２のニードルポート；
該細長い本体の内部に形成された、第２の縫合糸管腔；
該第２の縫合糸管腔と連絡し、そして該吸引凹部の近くに位置決めされた、第２の受容ポートであって、該第２のニードルポートと整列しており、かつ該第２のニードルポートと対向している、第２の受容ポート；および
該第２のニードルに取り付けられた第２のアクチュエータであって、前記第１のアクチュエータとは独立して作動可能である、第２のアクチュエータ、
をさらに備える、請求項１３に記載の装置。
【請求項１５】
前記第１のニードルポートおよび前記第２のニードルポートが、前記吸引凹部の第１の面に位置し、そして前記第１の受容ポートおよび前記第２の受容ポートが、該吸引凹部の第２の面にある、請求項１４に記載の装置。
【請求項１６】
前記吸引凹部の第１の面が、該吸引凹部の近位面であり、そして該吸引凹部の第２の面が、該吸引凹部の遠位面である、請求項１５に記載の装置。
【請求項１７】
前記第１の縫合糸管腔内に位置決めされた第１の縫合糸部分、および前記第２の縫合糸管腔内の第２の縫合糸部分をさらに備える、請求項１６に記載の装置。
【請求項１８】
前記第１の縫合糸部分および前記第２の縫合糸部分が、共通の縫合糸ラインの各部分である、請求項１７に記載の装置。